(57)【要約】【課題】  シールドケースのアース配線作業を簡単にできるようにする。【構成】  同軸ケーブル５０の先端部に取り付けられたケーブルコネクタＡであって、基板１０と、基板１０に実装されたコネクタソケット２０と、基板１０を保持する基板ホルダー４０と、基板１０及び基板ホルダー４０を取り囲むシールドケース３０とを備えている。シールドケース３０は第１ケース３１と第２ケース３２との２分割型である。第１ケース３１には切片部３１４を有している。切片部３１４の先端部分が第２ケース３２に形成された端子用切り欠き３２４を通じてコネクタソケット２０のシェル２１に面接触する。【選択図】  図１
2009123500.tif 000002
【特許請求の範囲】
【請求項１】
基板と、この基板に実装され且つグランド／アース端子を少なくとも外面に有した部品と、前記基板を取り囲む又は前記部品を覆うシールドケースとを備え、前記シールドケースは、前記部品のグランド／アース端子に接触するコンタクト部を有したことを特徴とする基板アセンブリー。
【請求項２】
ケーブルの端部に取り付けられている場合の請求項１記載の基板アセンブリーにおいて、前記シールドケースには、ケーブルの先端部を通すためのケーブル用開口が形成されていることを特徴とする基板アセンブリー。
【請求項３】
前記部品がグランドシェルを有するコネクタソケットであり且つ前記基板の端部に外向きに配置されている場合の請求項１記載の基板アセンブリーにおいて、前記シールドケースには、前記コネクタソケットと対になったコネクタプラグを出し入れするためのプラグ用開口が正面に形成されていることを特徴とする基板アセンブリー。
【請求項４】
同軸ケーブルの端部に取り付けられている場合の請求項１記載の基板アセンブリーにおいて、前記シールドケースは、前記ケーブル用開口の近くに位置し且つ前記同軸ケーブルの端部の外側導体に沿って接触する接続片を有していることを特徴とする基板アセンブリー。
【請求項５】
請求項１記載の基板アセンブリーにおいて、前記シールドケースは、前記部品のグランド／アース端子を露出させるために端子用開口が形成され、この端子用開口の縁部に肩持ち梁状の切片部が張り出して設けられ、この切片部の先端部分が前記端子用開口を通じて前記グランド／アース端子に前記コンタクト部として接触していることを特徴とする基板アセンブリー。
【請求項６】
請求項５記載の基板アセンブリーにおいて、前記切片部の先端部分が折り曲げられ前記部品のグランド／アース端子に面接触していることを特徴とする基板アセンブリー。
【請求項７】
請求項５記載の基板アセンブリーにおいて、前記シールドケースの切片部が間隔を開けて配列されていることを特徴とする基板アセンブリー。
【請求項８】
請求項１記載の基板アセンブリーにおいて、前記コンタクト部と前記部品のグランド／アース端子との間がハンダにより固着されていることを特徴とする基板アセンブリー。
【請求項９】
請求項３記載の基板アセンブリーにおいて、前記シールドケース内に装着可能であり且つ前記基板を保持する基板ホルダーを備えていることを特徴とする基板アセンブリー。
【請求項１０】
請求項９記載の基板アセンブリーにおいて、前記基板ホルダーは、前記基板の外形に対応した上方視略凹状の枠体であって開放端側から挿入された当該基板を保持可能な本体部と、この本体部の開放端側を略直角に短絡する部材であって当該基板の挿入に障害にならないように前記本体部とは段差を付けて設けられた連結部と有し、この連結部には、前記コネクタソケットのグランド／アース端子を露出させるための切り欠きが形成されていることを特徴とする基板アセンブリー。
【請求項１１】
ケーブル又は同軸ケーブルの端部に取り付けられている場合の請求項１０記載の基板アセンブリーにおいて、前記基板ホルダーの本体部には、前記ケーブル又は同軸ケーブルの端部の内側導体線を案内するための溝が配列されていることを特徴とする基板アセンブリー。
【請求項１２】
請求項９記載の基板アセンブリーにおいて、前記シールドケースは２分割型であり、前記基板ホルダー及び基板を挿入するための基板挿入口が形成された第１ケースと、第１ケースの前記基板挿入口を塞ぐ第２ケースとを有していることを特徴とする基板アセンブリー。
【請求項１３】
請求項１２記載の基板アセンブリーにおいて、前記シールドケースの第１ケースには、請求項１０の基板挿入口、請求項３のプラグ用開口、請求項５の端子用開口及び切片部が形成され、前記シールドケースの第２ケースには、第１ケースと第２ケースとが組み合わされた状態で前記端子用開口の一部を塞ぐ端子カバー部が形成され、この端子カバー部には前記切片部の先端部分を通すための端子用切り欠きが形成されていることを特徴とする基板アセンブリー。
【請求項１４】
ケーブルの端部に取り付けられている場合の請求項１２記載の基板アセンブリーにおいて、前記シールドケースの第２ケースには、請求項２のケーブル用開口が形成されていることを特徴とする基板アセンブリー。
【請求項１５】
同軸ケーブルの端部に取り付けられている場合の請求項１２記載の基板アセンブリーにおいて、前記シールドケースの第２ケースには、請求項２のケーブル用開口及び請求項４の接続片が形成されていることを特徴とする基板アセンブリー。
【発明の詳細な説明】
【技術分野】
【０００１】
本発明はＥＭＩ(Electro Magnetic Interference) 対策が施されたコネクタ等に使用される基板アセンブリーに関する。
【背景技術】
【０００２】
テレビ、冷蔵庫、電子レンジ、パソコン、プリンタ、デジカメ等の電子機器から発せられる電磁波は、通信の障害や他の電子機器の誤動作の原因となるため、世界各国で電磁波に対する基準値が法規制として強化されている。しかも電子機器はさらなる高機能化が進むことで、ＥＭＩノイズが増大する傾向にある。
【０００３】
高速信号を伝送するワイヤーケーブルに使用されるケーブルコネクターについては、各種メーカーからＥＭＩ対策コネクタと称されるものが種々提供されている。同コネクタは何れも対策対象外コネクタに比べてシールド性等が強化されている。
【０００４】
例えば、電子部品の内蔵するコネクターについては、基板上に実装された電子部品の全体がシールドケースで覆われている（例えば、特許文献１等）。
【特許文献１】特開平９−３５８２０号公報
【発明の開示】
【発明が解決しようとする課題】
【０００５】
しかしながら、シールドケースを基板に取り付けるだけでなく、基板上に作製されたアース配線をシールドケースに電気接続することが必要不可欠であり、シールドケースの配線作業が煩わしく、この面で同コネクターの低コスト化を図ることが困難という問題が指摘されている。特に、同軸ケーブル用のコネクターについては、その外側導体を基板上のアース配線に接続することが必要になり、組み立て及び配線作業が一層大変となっている。
【０００６】
本発明は上記した背景の下で創作されたものであって、その目的とするところは、シールドケースのアース配線作業を簡単にすることが可能な基板アセンブリーを提供することにある。
【課題を解決するための手段】
【０００７】
本発明に係る基板アセンブリーは、基板と、この基板に実装され且つグランド／アース端子を少なくとも外面に有した部品と、基板の全体を取り囲む又は部品を上から覆うシールドケースとを備えている。この基本的構成は従来と何ら変わりない。本願発明者は、上記目的を達成するためにシールドケースを中心として改良し、シールドケースに部品の外面に接触するコンタクト部という構成を付け加えた。
【０００８】
同アセンブリーがケーブルの端部に取り付けられている場合、シールドケースには、ケーブルの先端部を通すためのケーブル用開口を形成すると良い。部品がグランドシェルを有するコネクタソケットであり且つ基板の端部に外向きに配置されている場合、シールドケースには、コネクタソケットと対になったコネクタプラグを出し入れするためのプラグ用開口を正面に形成すると良い。
【０００９】
この発明によると、基板及びシールドケースが組み立てられると、シールドケースのコンタクト部と部品の外面との間が接触して導通状態になる。よって、従来とは異なり、シールドケースと部品との間を導通させるための特別なアース配線作業が不要となる。この結果、同アセンブリーの組み立て及び配線作業が従来に比べて簡単になり、低コスト化が図られる。
【００１０】
同アセンブリーが同軸ケーブルの端部に取り付けられている場合、シールドケースについては、ケーブル用開口の近くに位置し且つ同軸ケーブルの端部の外側導体に沿って接触する接続片を有することが好ましい。
【００１１】
この発明によると、同軸ケーブルの先端部をシールドケースのケーブル用開口に通し、シールドケースの接続片を変形させるだけで同軸ケーブルの外側導体とシールドケースとの間が電気接続される。よって、特別な配線作業が不要となり、同アセンブリーの一層の低コスト化が図られる。
【００１２】
シールドケースについては、部品のグランド／アース端子を露出させるために端子用開口を形成し、この端子用開口の縁部に肩持ち梁状の切片部を張り出して設けるようにすると良い。この場合、切片部の先端部分が端子用開口を通じてグランド／アース端子にコンタクト部として接触することになる。切片部の先端部分を変形させて部品のグランド／アース端子に面接触させると良い。
【００１３】
この発明によると、シールドケースの切片部の先端部分を変形させることなくシールドケースに凹凸が少ない状態で、シールドケースを干渉なく基板に組み込むことが可能になる。この組み込みが完了した後に、切片部の先端部分を曲げて部品のグランド／アース端子に接触させることが可能になる。よって、組み立て作業が簡単になるだけでなく、シールドケースの作製コストも抑えることができ、同アセンブリーの一層の低コスト化が図られる。
【００１４】
端子用開口を有するシールドケースについては、切片部を間隔を開けて配列することが好ましい。
【００１５】
この発明によると、シールドケースに端子用開口が形成されているので、電磁ノイズが漏れ易い構造であるが、端子用開口の大部分を複数の切片部で塞くことが可能になることから、電磁ノイズの漏れが少なくなる。
【００１６】
コンタクト部と部品のグランド／アース端子との間については、ハンダにより固着するようにすると良い。
【００１７】
この発明によると、コンタクト部と部品のグランド／アース端子との間の導通状態が確実となり、より強固なシールド効果が得られる。
【００１８】
同アセンブリーにおいて、部品がグランドシェルを有するコネクタソケットであり且つ基板の端部に外向きに配置されている場合、シールドケース内に装着可能であり且つ基板を保持する基板ホルダーを構成的に付加すると良い。
【００１９】
この発明によると、基板が基板ホルダーに保持された状態でシールドケースに組み込むことが可能になる。基板上のコネクタソケット等がシールドケースに接触することなく基板をシールドケースに組み込むことができ、組み立て作業が簡単になり、同アセンブリーの一層の低コスト化が図られる。
【００２０】
基板ホルダーについては、基板の外形に対応した上方視略凹状の枠体であって開放端側から挿入された基板を保持可能な本体部と、この本体部の開放端側を略直角に短絡する部材であって基板の挿入に障害にならないように本体部とは段差を付けて設けられた連結部と有したものを用いると良い。この場合、連結部にはコネクタソケットを露出させるための切り欠きを形成するようにする。
【００２１】
この発明によると、基板及び基板ホルダーを組み合わせると、コネクタソケットが連結部に覆われることなく切り欠きを通じて露出される。この状態で基板ホルダーをシールドケースに組み込むと、シールドケースの正面の裏側を連結部に部分的に接触させることが可能になる。よって、シールドケースの正面側の強度が基板ホルダーの連結部により補強され、特別な補強部材が不要になることから、同アセンブリーの一層の低コスト化が図られる。
【００２２】
特に、同アセンブリーがケーブル又は同軸ケーブルの端部に取り付けられている場合、基板ホルダーの本体部には、ケーブル等の端部の内側導体線を案内するための溝を配列すると良い。
【００２３】
この発明によると、ケーブル等の先端部から取り出された内側導体線を基板ホルダーの溝に挿入して仮止めされた状態で基板上の部品に配線することが可能になる。よって、配線作業が簡単になり、同アセンブリーの一層の低コスト化が図られる。
【００２４】
基板ホルダーを有する基板アセンブリーである場合、シールドケースについては、２分割型であり、基板ホルダー及び基板を挿入するための基板挿入口が形成された第１ケースと、第１ケースの基板挿入口を塞ぐ第２ケースとを有したものを用いると良い。
【００２５】
この発明によると、シールドケースの第１ケースに基板挿入口を通じて基板ホルダー及び基板を入れ、この状態で第１ケースと２ケースとを組み合わせることが可能になる。よって、組み立てが簡単になり、同アセンブリーの一層の低コスト化が図られる。
【００２６】
同アセンブリーにおいて、部品がグランドシェルを有するコネクタソケットであり且つ基板の端部に外向きに配置されている場合、シールドケースの第１ケースには、基板挿入口、プラグ用開口、端子用開口及び切片部を形成する一方、シールドケースの第２ケースには、第１ケースと第２ケースとが組み合わされた状態で端子用開口の一部を塞ぐ端子カバー部を形成すると良い。端子カバー部には切片部の先端部分を通すための端子用切り欠きを形成するようにする。
【００２７】
なお、同アセンブリーがケーブルの端部に取り付けられている場合、第２ケースには、ケーブル用開口を形成すると良い。同軸ケーブルの端部に取り付けられている場合、第２ケースには、ケーブル用開口及び接続片を形成すると良い。
【００２８】
この発明によると、第１ケースと第２ケースとを組み合わせると、第１ケースの端子用開口の一部が第２ケースの端子カバー部で塞がれ、第１ケースの切片部の先端部分が第２ケースの端子用切り欠きに位置する。この状態で、切片部の先端部分を曲げて部品のグランド／アース端子に接触させることが可能になる。
【００２９】
よって、シールドケースの端子用開口の一部が端子カバー部で塞がれているだ  けでなく、少なくとも切片部の基端部が端子カバー部と重なり、その分だけ第１ケースと第２ケースとの間の電気抵抗が小さくなる。よって、電磁ノイズ抑制効が高くなる。
【発明を実施するための最良の形態】
【００３０】
以下、本発明の基板アセンブリーの実施の形態をケーブルコネクタを例にして説明する。図１はケーブルコネクタＡの斜視図である。図中１０は基板、２０はコネクタソケット、３０はシールドケース、４０は基板ホルダー、５０は同軸ケーブルを示している。
【００３１】
なお、コネクタソケットＡの構成要素と特許請求の範囲に記載された発明特定事項との対応関係については、下記の符号の説明に併せて示している。
【００３２】
ケーブルコネクタＡは、同軸ケーブル５０の先端部に取り付けられた内蔵回路を有したＥＭＩ対策コネクタであって、基板１０と、基板１０に実装されたコネクタソケット２０と、基板１０を保持する基板ホルダー４０と、基板１０及び基板ホルダー４０を取り囲むシールドケース３０とを備えている。
【００３３】
基板１０は、図２に示すようにバッファ回路、増幅回路、信号変換回路及び／又はフィルター回路等が製作された略正方形のプリント基板である。上記回路を実現するために基板１０の表面上には各種の電子部品６０が実装されている。上記回路の信号ライン／電源ラインの入出力のためにコネクタソケット２０が実装されている他、入力／出力端子１１等が作製されている。
【００３４】
コネクタソケット２０については、基板１０の端部ａ（正面側の端部）の中央部分に外向きに配置されている。入力／出力端子１１については、基板１０の端部ｂ（背面側の端部）に等ピッチ間隔で配置されている。
【００３５】
コネクタソケット２０は、外側に金属製の筒状のシェル２１を有した高速信号伝送用角型コネクタである。シェル２１内には電源用ピン／信号用ピン（図外）が配置されており、基板１０の面上に製作された電源ライン／信号ライン（図外）に電気接続されている。コネクタソケット２０と対になったプラグ（図示省略）が同ソケットに接続されると、シェル同士が接触して、これに伴って、グランド／アース同士が電気接続される。シャル２１自体が導電体であることから、シェル２１の外面（本実施形態では外側上面）がグランド／アース端子としての役目を果たすようになっている。
【００３６】
基板ホルダー４０は、図３に示すようにシールドケース３０内に装着可能であり且つ基板１０を保持する機能を有した部材である。本体部４１と連結部４２とを有した樹脂成型体のものを用いている。
【００３７】
本体部４１は、基板１０の外形に対応した上方視略凹状の枠体であって開放端側（正面側）から挿入された基板１０を保持可能となっている。本体部４１の内側面には基板挿入溝４１１、４１１が長さ方向に形成されている。本体部４１の開放端側から基板１０を挿入すると、基板１０の両側端部が基板挿入溝４１１、４１１に入り込み、基板挿入溝４１１、４１１が基板１０を保持するようになっている。
【００３８】
本体部４１の反開放端側（背面側）には、同軸ケーブル５０の先端部の芯線５１を案内するための溝４１２が入力／出力端子１１と同一のピッチ間隔で配列されている。基板１０及び基板ホルダー４０が組み立てられた状態で、基板１０の入力／出力端子１１と基板ホルダー４０の溝４１２とは互いに対向する位置関係となっている。溝４１２は断面略Ｕ字状に形成され、同軸ケーブル５０の先端部の芯線５１を案内して仮止め可能になっている。
【００３９】
連結部４２は、本体部４１の開放端側（正面側）を略直角に短絡する断面略凹状の部材であって基板１０の挿入に障害にならないように本体部４１とは上方向に段差を付けて設けられている。連結部４２には、コネクタソケット２０のシェル２１を露出させるための切り欠き４２１が形成されている。即ち、基板１０及び基板ホルダー４０が組み立てられた状態で、基板１０上の正面側端部が基板ホルダー４０の連結部４２により覆われる形になるが、図３に示すとおりコネクタソケット２０のシェル２１が切り欠き４２１を通じて露出する。
【００４０】
シールドケース３０は図１に示すように金属製の成型品であって、第１ケース３１と第２ケース３２とを有した２分割型のものを用いている。
【００４１】
第１ケース３１は図４に示すように基板ホルダー４０の外形に応じた形状を有しており背面側の上面が開放された箱状体である。第１ケース３１の背面側には、基板ホルダー４０及び基板１０を挿入するための基板挿入口３１１が切り欠いて形成されている。第１ケース３１には、基板挿入口３１１の他、プラグ用開口３１２、端子用開口３１３及び切片部３１４が形成されている。
【００４２】
プラグ用開口３１２については、第１ケース３１の正面中央部に形成され、上記プラグを出し入れするための開口になっている。即ち、上記プラグは第１ケース３１のプラグ用開口３１２を通じて基板１０に実装されたコネクタソケット２０に接続可能になっている。
【００４３】
端子用開口３１３については、第１ケース３１の正面側上面に形成され、基板１０に実装されたコネクタソケット２０のシェル２１を中心とした部分を露出させるための開口になっている。
【００４４】
切片部３１４については、端子用開口３１３の縁部に張り出して形成された肩持ち梁状の切片である。切片部３１４の先端部分が折り曲げられ、基板１０に実装されたコネクタソケット２０のシェル２１に接触するコンタクト部となっている。具体的には、切片部３１４は合計２つ間隔を開けて配列されており、端子用開口３１３の左側、右側に互い違いにして設けられている。
【００４５】
第２ケース３２は、図５乃至図７に示すように第１ケース３１の基板挿入口３１１を塞ぐための２面（下面及び正面）が開放された箱状体であって、第１ケース３１の上側に重ね合わせて手前にスライドさせることにより第１ケース３１に組み合わせ可能になっている。
【００４６】
第２ケース３２の上面には、第１ケース３１と第２ケース３２とが組み合わされた状態で端子用開口３１３（図４参照）の一部を塞ぐ板状の端子カバー部３２３が張り出して形成されており、端子カバー部３２３の正面側中央部には、切片部３１４、３１４の先端部分を通すための端子用切り欠き３２４が形成されている。
【００４７】
第２ケース３２の背面中央部には、同軸ケーブル５０の先端部を通すためのＵ字状のケーブル用開口３２１が形成されており、ケーブル用開口３２１の近くには同軸ケーブル５０の先端部の編組線５２に沿って接触する断面円弧状の接続片３２２が左右一対相対向して形成されている。即ち、同軸ケーブル５０の先端部をケーブル用開口３２１に通して、接続片３２２を若干内側に変形させると、編組線５２に接続片３２２が面接触して電気接続される。あるいは編組線５２と若干内側に変形された接続片３２２をハンダ付けしてより強固に電気接続される。
【００４８】
上記したケーブルコネクタＡの組み立て方法について説明する。まず、図２に示すように電子部品６０及びコネクタソケット２０が実装された基板１０を基板ホルダー４０にセットし、同軸ケーブル５０の先端部の芯線５１を基板１０の入力／出力端子１１にハンダにより接続する。図３はこの状態を示している。
【００４９】
シールドケース３０の第１ケース３１内に図３に示す基板ホルダー４０及び基板１０を基板挿入口３１１を通じて挿入する。図４はこの状態を示している。その後、第１ケース３１に第２ケース３２を組み合わせる。図５乃至図７はこの状態を示している。この状態では、第２ケース３２の端子カバー部３２３が第１ケース３１の上面の下側に入り込んで部分的に重なり合い電気的に接続され、切片部３１４、３１４の先端部分が第２ケース３２の端子用切り欠き３２４内に位置する。
【００５０】
第１ケース３１に第２ケース３２を組み合わせれると、同軸ケーブル５０の先端部が第２ケース３２のケーブル用開口３２１に通されることから、接続片３２２、３２２を内側に若干変形させて、同軸ケーブル５０の編組線５２と第２ケース３２との間を電気的に接続する。あるいは編組線５２と若干内側に変形された接続片３２２をハンダ付けしてより強固に電気接続される。
【００５１】
そして、切片部３１４、３１４の各先端部分に対して加工を施して折り曲げ、端子用開口３２３及び端子用切り欠き３２４を通じてコネクタソケット２０のシェル２１に各々面接触させる。その後、切片部３１４、３１４の各先端部分とコネクタソケット２０のシェル２１との間をハンダにより固着する。このようにしてケーブルコネクタＡが組み立てられる。
【００５２】
このように切片部３１４、３１４の各先端部分に対し加工を施して折り曲げるだけで、コネクタソケット２０のシェル２１、シールドケース３０及び同軸ケーブル５０の編組線５２の間が一度に電気接続され、従来に比べて配線作業が格段に簡単になる。しかも切片部３１４、３１４の先端部の加工を組み立て後に行なうことから、シールドケース３０の第１ケース３１内に基板ホルダー４０に挿入する際には、第１ケース３１の内側に凹凸が全くない状態であり、シールドケース３０を干渉なく組み込むことが可能になり、組み立て作業も簡単になる。
【００５３】
また、基板１０が基板ホルダー４０に保持された状態でシールドケース３０に組み込まれることから、基板１０上のコネクタソケット２０、電子部品６０等がシールドケース３０に接触することなく基板１０をシールドケース３０に組み込むことができる。この面でも組み立て作業が簡単になる。
【００５４】
また、基板１０の全体がシールドケース３０に収納され、コネクタソケット２０のシェル２１の一部が露出する端子用切り欠き３２４の大部分が接続片３２２、３２２で覆われていることから、電磁ノイズの漏れが少なく、高いノイズ遮蔽効果も得られる。
【００５５】
さらに、シールドケース３０の正面の裏側が基板ホルダー４０の連結部４２に接触していることから、シールドケース３０の正面側の強度が補強され、特別な補強部材が不要になる。
【００５６】
このようなことから、ケーブルコネクタＡの低コスト化及び高性能化の双方を図ることが可能になる。
【００５７】
なお、本発明に係る基板アセンブリーは、同軸ケーブルの先端部又は両端部に接続されたケーブルコネクターだけの適用に止まらず、例えば、パソコン、モニター等に備えられた送信側機器、受信側機器その他のシールドケース付き基板であれば上記と同様に適用可能である。同アセンブリーの各構成部の上記以外の形態の例については以下の通りである。
【００５８】
基板に関しては、上記実施形態の基板１０だけでなく、コネクタや端子等の部品が実装された単なる基板であっても良い。
【００５９】
シールドケースに関しては、上記実施形態のシールドケース３０ではなく、基板に実装された部品の種類、位置等に応じて形状等を適宜設計変更すれば良い。ハウジングの内面に導電性の薄膜を作成したものを用いてもかまわない。基板の全体を取り囲むのではなく基板に実装された部品の全部又は一部を上から覆う形態でもかまわない。
【００６０】
特にコンタクト部については、上記実施形態の接続片３２２ではなく、シールドケース及び基板が組み立てられた状態で部品のグランド／アース端子に接触する形態である限り、その形状等が問われない。例えば、シールドケースの一部を折り曲げて凸状にしたり、別に作成した金属片をシールドケースの内面に取り付ける形態であっても良い。
【００６１】
部品に関しては、上記実施形態のコネクタソケット２０ではなく、グランド／アース端子を少なくとも外面に有した部品であれば良い。例えば、高速信号伝送用コネクタ以外にトランジスター等の電子部品、電源用端子等がある。これらの部品については、そのケース自体又はケースの外面に設けられた端子等が何れもグランド／アース端子となっている。グランド／アース端子の接地については、シールドケースを通じて行なう形態だけでなく、基板に設けられたグランド／アースラインを通じて行なう形態であっても良い。この場合、シールドケースが基板部品等を通じて接地されることになる。
【００６２】
基板ホルダーに関しては、シールドケースが基板を取り囲むのではなく部品を覆う場合、省略することが可能である。シールドケースが基板を取り囲む場合、上記実施形態の基板ホルダー４０ではなく、シールドケース内に装着可能であり且つ基板を保持する構成である限り、同ホルダーの形状、材質等が問われず、部品の種類や位置等に応じて適宜設計変更すれば良い。特に導電性を有した材質のものを使用してもかまわない。
【００６３】
ケーブルに関しては、上記実施形態の同軸ケーブル５０だけでなく、通常のケーブルを用いることが可能であり、基板に作成された回路の種類によっては省略しても良い。
【図面の簡単な説明】
【００６４】
【図１】本発明に係る基板アセンブリーの実施形態を説明するためのケーブルコネクタの正面側から見た上方視斜視図である。
【図２】同ケーブルコネクタの基板の斜視図である。
【図３】同ケーブルコネクタの基板及び基板ホルダーの斜視図であって、同ケーブルコネクタからシールドケースを取り外した状態を示す図である。
【図４】同ケーブルコネクタの基板、基板ホルダー及びシールドケースの第１ケースの斜視図であって、図３に示された基板及び基板ホルダーを第１ケースに組み込んだ状態を示す図である。
【図５】同ケーブルコネクタの斜視図であって、シールドケースの切片部を折り曲げ加工する前の状態を示す図である。
【図６】同ケーブルコネクタの背面側から見た上方視斜視図であって、シールドケースの切片部を折り曲げ加工する前の状態を示す図である。
【図７】図６に示されたケーブルコネクタの下方視斜視図である。
【符号の説明】
【００６５】
Ａ  ケーブルコネクタ  （基板アセンブリー）
１０  基板
２０  コネクタソケット（部品）
２１  シェル（アース／グランド端子）
３０  シールドケース
３１  第１ケース
３１１  基板挿入口
３１２  プラグ用開口
３１３  端子用開口
３１４  切片部（コンタクト部）
３２  第２ケース
３２１  ケーブル用開口
３２２  接続片
３２３  端子カバー部
３２４  端子用切り欠き
４０  基板ホルダー
４１  本体部
４１１  基板挿入溝
４１２  溝
４２  連結部
４２１  切り欠き
５０  同軸ケーブル
５１  芯線（内側導体線）
５２  編組線（外側導体線）
【図１】
2009123500.tif 000003
【図２】
2009123500.tif 000004
【図３】
2009123500.tif 000005
【図４】
2009123500.tif 000006
【図５】
2009123500.tif 000007
【図６】
2009123500.tif 000008
【図７】
2009123500.tif 000009